(57)【要約】【課題】呼び入力の時間および場所をエレベータ設備から分離することができる装置を生み出すこと。【解決手段】この携帯用入力装置（１）では、時間および場所をエレベータ設備から分離して呼び入力を行うことができる。この入力装置（１）は、例えば腕時計の形状を有する。使用者へのインタフェースとして、入力装置（１）は、データを視覚化する第一ディスプレイ（３）と、データまたは移動命令を手動入力する第一キーボード（４）と、データまたは移動命令を音響入力し、またエレベータ使用者に対して音声情報を生成する音声ユニット（５）とを含む。例えば、音声（６）で選択された目的階「ニジューナナ」はディスプレイ（３）上に「２７」と表示され、エレベータ付近になると自動的にエレベータ制御装置に転送される。エレベータ制御装置は、所望の移動を実行する割り当てられたエレベータの箱を携帯用入力装置（１）に通信する。【選択図】図１
2008303071.tif 000002
【特許請求の範囲】
【請求項１】
音響命令を受信および変換するユニットならびに音響命令入力を視覚化するディスプレイユニットからなるエレベータ制御装置を有するエレベータ設備における音響命令入力用の入力装置であって、時間および場所に関してエレベータ設備から独立した、命令入力用の装置（３、４、５、１０、１１、１４、１６）を具備して成ることを特徴とする入力装置（１）。
【請求項２】
入力装置（１）が携帯可能であり、制御装置（１４）と、データまたは移動命令を入力するキーボード（４）と、データを視覚化するディスプレイ（３）と、音声情報を変換する音声ユニット（５）と、データを記憶する記憶装置（１６）と、固定呼び端末（７）の第二送受信装置（１０）と接続可能な第一送受信装置（１１）とを含むことを特徴とする請求項１に記載の入力装置。
【請求項３】
音声ユニット（５）が、音声情報を受信するマイクロフォン（１２）と、音声情報を伝えるスピーカ（１５）と、音声認識および音声合成用の音声変換器（１３）とを含むことを特徴とする請求項２に記載の入力装置。
【請求項４】
記憶装置（１６）が、使用者の個人データを有する第一記憶ブロック（１６．１）と、エレベータシステムのデータを有する第二記憶ブロック（１６．２）と、同義表を有する第三記憶ブロック（１６．３）と、エレベータの使用に関する制限データを有する第四記憶ブロック（１６．４）と、使用者（２）のルーチンを有する第五記憶ブロック（１６．５）と、所望の移動目的階を有する第六記憶ブロック（１６．６）とを含むことを特徴とする請求項２に記載の入力装置。
【請求項５】
命令が音響入力によってエレベータ制御装置に通信され、ディスプレイユニットによって視覚化されるエレベータ制御装置を有するエレベータ設備に音響命令を入力するための方法であって、音響命令入力が時間および場所がエレベータ設備から独立して行われることを特徴とする方法。
【請求項６】
音響命令入力および命令記憶が携帯用入力装置（１）によって実行され、この命令が、エレベータ設備のすぐ近くでエレベータ制御装置に送られることを特徴とする請求項５に記載の方法。
【請求項７】
エレベータ制御装置のデータが、エレベータ設備のすぐ近くで入力装置（１）に送られ、音響的におよび／または光学的に使用者（２）に表示されることを特徴とする請求項５に記載の方法。
【請求項８】
命令入力が、階数と同義の概念で実行されることを特徴とする請求項６に記載の方法。
【発明の詳細な説明】
【技術分野】
【０００１】
本発明は、音響命令を受信および変換するユニットならびに音響命令入力を視覚化するディスプレイユニットからなるエレベータ制御装置を有するエレベータ設備への音響命令入力用の入力装置およびその方法に関する。
【背景技術】
【０００２】
各階への移動命令を音響によって入力することができるエレベータ設備が、米国特許明細書第５２５５３４１号から知られている。音響で入力される移動命令用のマイクロフォンおよびインジケータランプが、エレベータの入力装置付近に配列されている。音声認識を保証することができるように、距離センサがエレベータ使用者がマイクロフォンから特定距離範囲内にいることを検出する。マイクロフォンからの正しい距離はチェックランプによってエレベータ使用者に知らされる。エレベータ使用者からシステムに音響で送られた移動命令は、音声認識ユニットで評価され、所望階に対応する電気信号に変換され、インジケータランプで視覚化される。この移動命令はまた、呼びボタンによって手動で入力することもできる。
【０００３】
知られているこの機器の欠点は、エレベータ設備付近の、エレベータ設備のエレベータ入口から特定距離範囲内でしか音響移動命令入力が可能でないことにある。移動命令入力は、その他のエレベータ使用者の声により生じる最も妨害性の高いノイズが起こる場所で処理されなければならない。その結果、音声認識ユニットが評価を誤り、それによりエレベータ設備の効率は不適当となる。
【発明の開示】
【発明が解決しようとする課題】
【０００４】
本明細書で、本発明は一つの救済策を提供する。本発明は、請求項１で特徴づけられるように、知られている機器の欠点を回避し、呼び入力時間および場所に関してエレベータ設備から分離することができる装置を生み出すという目的を達成する。
【課題を解決するための手段】
【０００５】
本発明によって達成される利点は、基本的には、エレベータ使用者が自分の移動先の入力を前もって、またエレベータ設備から離れて処理することができるという点に見られる。エレベータ使用者は自分の移動希望を個人の環境で与え、その後それをシステムに知らせることができる。使用者はもはや、エレベータの箱の前および中の人混みの中での呼び入力に悩まされる必要はない。さらに、入力に多くの時間を要する手動での移動命令の間待機する必要がないので、エレベータ設備がより効率的に動作することは有利である。さらに、各エレベータ使用者が個人用の入力装置を有するので、エレベータ使用者の個人検査が可能になることも有利である。さらに、例えば別のエレベータまたはエスカレータを使用するなどの個別の指令を、入力装置の所有者に与えることもできる。移動先を、数値と同義の概念で入力することもできる。例えば、通常は「−２」で選択しなければならない駐車階を、「車」という音響によって選択することができる。この入力装置はまた、例えば電話やポケットベル、自動販売機との通信など、さらに別の機能を備えることもできる。さらに、例えば音声、特定階へのアクセス許可、制限など、使用者の個人データを装置に割り当てることもできる。
【０００６】
単なる実施形態の一方法を例示する図面を参照して、本発明について以下にさらに厳密に説明する。
【発明を実施するための最良の形態】
【０００７】
時間および場所がエレベータ設備から分離した、目的階呼びを入力するための携帯用入力装置を、図１から図４では１で示す。この入力装置は腕時計の形状を有する。ただし、例えばクレジットカード、鍵フォッブ、印鑑付き指輪などの形状を有することもできる。使用者２へのインタフェースとして、入力装置１は、データを視覚化する第一ディスプレイ３と、データまたは移動命令を手動入力する第一キーボード４と、データまたは移動命令を音響入力し、また音声情報を生成する音声ユニット５とを含む。例えば、音声６で選択された目的階「ニジューナナ」はディスプレイ３上に「２７」と表示される。選択された各階の数字を少なくとも一つの数値から構成するテンキーのキーボードを、通常は第一キーボード４として使用する。キーボード４は、各階に関係したキーからなるようにすることもできる。
【０００８】
図２は、各階に配列された、通常は目的階呼びを第二キーボード８によって手動で入力する目的階呼び端末７を示す図である。目的階呼びは、目的階呼び制御によって直ちに最も移動しやすい状態にあるエレベータの箱に割り当てられ、この箱が第二ディスプレイ９で使用者２に対して視覚化される。さらに、目的階呼び端末７は、携帯用入力装置１の第一送受信装置１１と通信することができる第二送受信装置１０を含む。図２では、第一送受信装置１１が、どのようにして、例えば音響によって選択された「２７」階を第二送受信装置１０に通信するかを示す。その後、目的階呼び制御によって割り当てられ、目的階呼びを実行するエレベータの箱Ｃは、第二ディスプレイ９に示され、第二送受信装置１０によって第一送受信装置に通信され、第一ディスプレイ３に示され、音声ユニット５によって使用者が耳で聞くことができるようにされる。このようにして、使用者２は、目的階呼び端末７の範囲外でいつでもこの情報を利用することができる。使用者２は、目的階呼び端末７に送信されるまではいつでも、自分の移動命令を変更、取り消し、または後から入力し直すことができる。入力装置または目的階呼び端末７のエネルギー源は図示していない。
【０００９】
入力装置１は、送受信装置を有する、階の押しボタンと箱の制御盤を有する箱とを有する従来のエレベータ制御装置と通信することもできる。この場合には使用者２は、階の押しボタンまたは箱の制御盤まで行かなくても、エレベータの箱を呼び、その中に入り、呼び入力を処理することができる。呼び入力の間に時間の浪費がないので、この箱はより早く出発することができる。
【００１０】
図３は、入力装置１の回路のブロック図である。使用者２は、自分の移動命令または目的階呼びを音響によってマイクロフォン１２に伝え、この信号は音声変換器１３に供給される。音声変換器１３の音声認識部分で、音響信号は、コンピュータを備えた第一制御装置１４でさらに処理することができるデジタル信号に変換される。逆方向に、第一制御装置１４のデジタル信号は音声変換器１３の音声合成部分に供給され、ここでデジタル信号はアナログ音声信号に変換される。この音声信号は、スピーカ１５によって使用者２が耳で聞くことができるようにされる。マイクロフォン１２、スピーカ１５、および音声変換器１３は、入力装置１の音声ユニット５を形成する。第一制御装置１４は第一ディスプレイ３、第一キーボード４、記憶装置１６、および第一送受信装置１１に接続される。制御装置は、第一ディスプレイ３および第一キーボードの問合せを制御し、データを記憶装置のデータと比較し、適用可能なデータを第一送受信装置１１に伝える。逆方向に、送受信装置１１のデータは制御装置１４で処理される。記憶装置１６は、使用者データ、システムおよびオペレーティングデータ、安全データ、および統計データを記憶するための複数の記憶ブロックからなる。例えば使用者識別、よく使用される使用者サービス、よく使用される階、音声などの使用者の個人データは、第一記憶ブロック１６．１にファイルされる。目的階の数、輸送速度、輸送ピーク時間、エレベータの箱の数、ゾーン、各階の使用状況についての情報、レストランなど、エレベータシステムを動作させるデータは、第二記憶ブロック１６．２にファイルされる。同義表が第三記憶ブロック１６．３にファイルされる。上記でさらに説明したように、使用者２は、自分の目的階を例えば「２７」などの数字で選択することができる。しかし、使用者は、例えば「車」、「コーヒー」、「レストラン」などの簡単に思い付く同義の形態で自分の移動希望をシステムに送ることもできる。制御装置１４は、第三記憶ブロック１６．３にファイルされた同義表の助けで、この同義語を階数に変換する、または例えば駐車階の開く時間および閉まる時間、自動販売機の飲み物の選択、レストランのメニュー提示など、選択された階に位置する設備について使用者２に知らせる、あるいはその両方を行うことができる。エントリおよびアクセス制御に関する制限データは第四記憶ブロック１６．４にファイルされる。処理不可能な記号または命令、あるいは使用者２が入ることのできない階は、第一ディスプレイ３によって、または音声ユニット５によって使用者２に通信される。使用者２のルーチンは第五記憶ブロック１６．５にファイルされる。通常の実施によれば、使用者が９時にコーヒーブレークをとると、この情報は入力装置１によって自己学習で処理される。一定時間の後、以前のルーチンにより、例えばコーヒーブレークが近づいていることなどの注意が使用者２にもたらされる。所望の移動目的階は第六記憶ブロック１６．６にファイルされる。記憶装置１６のデータは、プログラミング装置によって、または送受信装置１０、１１の手法に基づいて、あるいはキーボード４を直接介したコードおよび／または音声ユニット５を介した音響入力によって、エレベータのオペレータが読取りおよび／または変更することができる。
【００１１】
使用者２が自分の入力装置１によってエレベータ設備のすぐ近くに来ると直ちに、第二送受信装置１０は第一送受信装置１１と連絡する。これは移動命令を目的階端末７に送信する。移動命令が割り当てられると直ちに、この移動命令を実行するエレベータの箱Ｃは入力装置１によって音響的および光学的に使用者に連絡される。第二送受信装置１０は、目的階呼び端末７の、コンピュータを備えたエレベータ制御装置のデータトラフィックを処理する第二制御装置１７に接続される。
【００１２】
図４は入力装置１と目的階呼び端末７の間の通信を図示したフローチャートである。段階Ｓ１で、入力装置１は目的階呼び入力に解放される。次に使用者２は、入力装置１によって、段階Ｓ２で音響で、または段階Ｓ５で手動で移動命令を入力することができる。音響による目的階呼び入力の場合は、例えば「ニジューナナ」という音響信号は、段階Ｓ３で、音声変換機１３によって機械可読信号またはコードに変換される。段階Ｓ４で、第一制御装置１４は、必要なら同義表の助けで、所望階に対応する目的階呼び数値を形成する。段階Ｓ６で、所望の目的階呼びが制限を受けるかどうかを検査する。この検査の出力がＹＥＳと示される場合には、段階Ｓ７に示すように、希望が実行不可能であることが音響的におよび／または光学的に使用者２に通知される。段階Ｓ６の検査の出力がＮＯと示される場合には、段階Ｓ８に示すように、所望の目的階が入力装置１で光学的におよび音響的に確認され、第六記憶ブロック１６．６にファイルされる。目的階呼びはこのようにして完了する。ただし、入力は、目的階呼び端末７に送られるまではいつでも訂正または再入力することができる。エレベータ設備付近で、目的階呼び端末７の第二送受信装置１１は、段階Ｓ９およびＳ１０に示すように、入力装置１に呼び入力を送るよう要求する。段階Ｓ１１で、使用者２が望む移動目的階が目的階呼び端末７に送信され、これが段階Ｓ１２でこの目的階呼びをエレベータ制御装置に伝え、段階Ｓ１３およびＳ１４で第二ディスプレイ９にこれを視覚化する。段階Ｓ１５で、エレベータ制御装置は直ちにこの目的階呼びを、乗客数および全移動距離を考慮して最良の移動状態にあるエレベータの箱に割り当てる。この目的階呼びを実行する割り当てられたエレベータの箱Ｃは、目的階呼び端末７に送信される。割り当てられたエレベータの箱Ｃの送受信装置１０、１１による入力装置１への通信は、段階Ｓ１６およびＳ１７で行われる。入力装置１と目的階呼び端末７の間の通信は、例えば赤外線範囲の無線方式で行われる。割り当てられたエレベータの箱Ｃは、段階Ｓ１８で光学的におよび／または音響的に使用者２に通信される。光学的表示は使用者がエレベータの箱Ｃに入るまで続く。
【図面の簡単な説明】
【００１３】
【図１】目的階呼びを音響入力する携帯用入力装置を示す図である。
【図２】各階に配列された、入力装置と通信するための目的階呼び端末を示す図である。
【図３】本発明による入力装置の回路のブロック図である。
【図４】入力装置と目的階呼び端末の間の通信を示すフローチャートである。
【符号の説明】
【００１４】
１  携帯用入力装置
３  第一ディスプレイ
４  第一キーボード
５  音声ユニット
６  英語音声
１１  第一送受信装置
【図１】
2008303071.tif 000003
【図２】
2008303071.tif 000004
【図３】
2008303071.tif 000005
【図４】
2008303071.tif 000006
【手続補正書】
【提出日】平成20年9月22日(2008.9.22)
【手続補正１】
【補正対象書類名】特許請求の範囲
【補正対象項目名】全文
【補正方法】変更
【補正の内容】
【特許請求の範囲】
【請求項１】
固定呼び端末（７）の第二送受信装置（１０）と接続可能な第一送受信装置（１１）とエレベータ制御装置を有するエレベータ設備における移動命令入力用の携帯用入力装置（１）であって、携帯用入力装置（１）が、
エレベータ制御装置において各エレベータ使用者（２）に対する音響移動命令入力用の装置（３、４、５、１０、１１、１４、１６）と、
音声情報を変換する音声ユニット（５）であって、音響移動命令入力を受信するマイクロフォン（１２）と、音響移動命令入力をデジタル信号に変換する、音声認識および音声合成用の音声変換器（１３）とを含む音声ユニット（５）と、
同義語を有する同義表を有する第三記憶ブロック（１６．３）と、エレベータの使用に関する制限データを有する第四記憶ブロック（１６．４）とを含む、データを記憶する記憶装置（１６）と、
第三記憶ブロック（１６．３）の同義表の同義語の助けで、所望階に対応する目的階呼び数値を形成する、デジタル信号を処理する制御装置（１４）を有し、
前記制御装置（１４）は、第四記憶ブロック（１６．４）のエレベータの使用に関する制限データの助けで所望階が制限を受けるかどうかを検査し、
携帯用入力装置（１）が、
音響移動命令入力を視覚化するディスプレイユニット（３）であって、所望階が制限を受けないことを光学的に通知するディスプレイユニット（３）を有し、
前記第一送受信装置（１１）は第二送受信装置（１０）へ、目的階呼び数値を通信し、
エレベータ使用者（２）はエレベータ設備から離れたところから前もっていつでもエレベータ使用者個人の移動命令入力を実行できることを特徴とする携帯用入力装置（１）。
【請求項２】
携帯用入力装置（１）が、データまたは移動命令を入力するキーボード（４）を含むことを特徴とする請求項１に記載の携帯用入力装置（１）。
【請求項３】
音声ユニット（５）が、音声情報を伝えるスピーカ（１５）を含むことを特徴とする請求項１に記載の携帯用入力装置（１）。
【請求項４】
記憶装置（１６）が、使用者の個人データを有する第一記憶ブロック（１６．１）と、エレベータシステムのデータを有する第二記憶ブロック（１６．２）と、使用者（２）のルーチンを有する第五記憶ブロック（１６．５）と、所望の移動目的階を有する第六記憶ブロック（１６．６）とを含むことを特徴とする請求項１に記載の携帯用入力装置（１）。
【請求項５】
スピーカ（１５）は、エレベータ使用者（２）へ、所望階が制限を受けないことを音響的に通知することを特徴とする請求項３に記載の携帯用入力装置（１）。
【請求項６】
第一送受信装置（１１）は、第二送受信装置（１０）から、割り当てられたエレベータの箱（Ｃ）を受信し、ディスプレイユニット（３）は、割り当てられたエレベータの箱（Ｃ）をエレベータ使用者（２）へ光学的に通信することを特徴とする請求項１に記載の携帯用入力装置（１）。
【請求項７】
第一送受信装置（１１）は、第二送受信装置（１０）から、割り当てられたエレベータの箱（Ｃ）を受信し、スピーカ（１５）は、割り当てられたエレベータの箱（Ｃ）をエレベータ使用者（２）へ音響的に通信することを特徴とする請求項３に記載の携帯用入力装置（１）。
【請求項８】
データ又は移動命令についてのエレベータ使用者（２）の音声は、第一記憶ブロック（１６．１）に記憶されることを特徴とする請求項４に記載の携帯用入力装置（１）。
【請求項９】
エレベータ使用者（２）の所望階が第六記憶ブロック（１６．６）に所望の移動目的階として記憶されることを特徴とする請求項４に記載の携帯用入力装置（１）。
【請求項１０】
固定呼び端末（７）の第二送受信装置（１０）と接続可能な第一送受信装置（１１）とエレベータ制御装置を有するエレベータ設備に、ディスプレイユニットによって視覚化される移動命令を入力するための方法であって、
音響移動命令入力が、携帯用入力装置（１）のマイクロフォン（１２）により受信されるステップと、
音響移動命令入力が、携帯用入力装置（１）の音声変換器（１３）によりデジタル信号に変換されるステップと
デジタル信号は、携帯用入力装置（１）の制御装置（１４）により処理されるステップと、
制御装置（１４）により、携帯用入力装置（１）の記憶装置（１６）の第三記憶ブロック（１６．３）に記憶された同義表の同義語の助けで、所望階に対応する目的階呼び数値が形成され、
制御装置（１４）により、所望階が、記憶装置（１６）の第四記憶ブロック（１６．４）に記憶されたエレベータの使用に関する制限データの助けで検査されるステップと、
所望階の承認が携帯用入力装置（１）のディスプレイユニット（３）により、エレベータ使用者（２）へ、光学的に通知されるステップと、
目的階呼び数値が、前記第一送受信装置（１１）により第二送受信装置（１０）へ通信されるステップとにより、
エレベータ使用者（２）の移動命令が、音響入力によってエレベータ制御装置に通信され、
エレベータ使用者（２）個人の音響移動命令入力が、エレベータ設備から離れたところから前もっていつでも行われることを特徴とする方法。
【請求項１１】
目的階呼び数値が、エレベータ設備のすぐ近くでエレベータ制御装置に送られることを特徴とする請求項１０に記載の方法。
【請求項１２】
エレベータ制御装置のデータが、エレベータ設備のすぐ近くで携帯用入力装置（１）に送られ、音響的におよび／または光学的に使用者（２）に表示されることを特徴とする請求項１０に記載の方法。
【請求項１３】
所望階の承認が携帯用入力装置（１）のスピーカ（１５）により、エレベータ使用者（２）へ、音響的に通知されることを特徴とする請求項１０に記載の方法。
【請求項１４】
割り当てられたエレベータの箱（Ｃ）は、第二送受信装置（１０）から第一送受信装置（１１）により受信され、割り当てられたエレベータの箱（Ｃ）は、ディスプレイユニット（３）により、エレベータ使用者（２）へ光学的に通信されることを特徴とする請求項１０に記載の方法。
【請求項１５】
割り当てられたエレベータの箱（Ｃ）は、第二送受信装置（１０）から第一送受信装置（１１）により受信され、割り当てられたエレベータの箱（Ｃ）は、スピーカ（１５）により、エレベータ使用者（２）へ音響的に通信されることを特徴とする請求項１０に記載の方法。
【請求項１６】
所望階は、携帯用入力装置（１）のキーボード（４）を介してエレベータ使用者（２）により又は、マイクロフォン（１２）と音声変換器（１３）を介して音響入力により、訂正され又は再入力されることが可能であるを特徴とする請求項１０に記載の方法。
【請求項１７】
記憶装置（１６）のデータは、プログラミング装置によってエレベータのオペレータにより、読取りおよび／または変更されることを特徴とする請求項１０に記載の方法。
【請求項１８】
記憶装置（１６）のデータは、携帯用入力装置（１）のキーボード（４）を介して直接にコードにより、および／又は、マイクロフォン（１２）と音声変換器（１３）を介して音響入力により、読取りおよび／または変更されることを特徴とする請求項１０に記載の方法。